(57)【要約】    【課題】  滑らかで良質な動画表示が得られるようにした場合であっても小型化が容易な構造をもったプロジェクタを提供する。    【解決手段】    楕円面リフレクタ１１４と、発光管１１２と、平行化レンズ１５０と、電気光学変調装置４００Ｒ，４００Ｇ，４００Ｂと、投写光学系６００とを備えたプロジェクタにおいて、楕円面リフレクタ１１４の第２焦点位置近傍に配置され、電気光学変調装置４００Ｒ，４００Ｇ，４００Ｂに照射される光が電気光学変調装置４００Ｒ，４００Ｇ，４００Ｂの画面書込み周波数に同期して遮断されるよう間欠的に光の遮断を行う光シャッタとしての回転板２０をさらに備えたことを特徴とするプロジェクタ。【選択図】  図１
2005134643.tif 000002
【特許請求の範囲】
【請求項１】
楕円面リフレクタと、
この楕円面リフレクタの第１焦点位置近傍に発光中心を有する発光管と、
前記楕円面リフレクタの第２焦点位置よりも前記楕円面リフレクタから遠い側に配置され、前記楕円面リフレクタから射出された光を略平行な光に変換する平行化レンズと、
前記平行化レンズから射出された光を画像情報に応じて変調する電気光学変調装置と、
この電気光学変調装置によって変調された光を投写する投写光学系とを備えたプロジェクタにおいて、
前記楕円面リフレクタの第２焦点位置近傍に配置され、前記電気光学変調装置に照射される光が前記電気光学変調装置の画面書込み周波数に同期して遮断されるよう間欠的に光の遮断を行う光シャッタをさらに備えたことを特徴とするプロジェクタ。
【請求項２】
請求項１に記載のプロジェクタにおいて、
光シャッタを通過する光のビームスポット径は、４ｍｍ〜８ｍｍの範囲内の値に設定されてなることを特徴とするプロジェクタ。
【請求項３】
請求項１又は２に記載のプロジェクタにおいて、
前記光シャッタは、光軸と平行な回転軸を有し、回転方向に沿って光透過領域と光非透過領域とが一定の周期で配置された回転板からなることを特徴とするプロジェクタ。
【請求項４】
請求項１又は２に記載のプロジェクタにおいて、
前記光シャッタは、光軸と平行な回転軸を有し、回転方向に沿って光非透過領域が一定の周期で配置されたメカニカルチョッパからなることを特徴とするプロジェクタ。
【請求項５】
請求項３又は４に記載のプロジェクタにおいて、
前記光非透過領域は、光反射領域であることを特徴とするプロジェクタ。
【請求項６】
請求項１〜５のいずれかに記載のプロジェクタにおいて、
前記平行化レンズは、光入射面が回転双曲面からなり、光射出面が平面又は球面からなることを特徴とするプロジェクタ。
【請求項７】
請求項１〜６のいずれかに記載のプロジェクタにおいて、
前記平行化レンズは、光射出面が回転楕円面からなり、光入射面が平面又は球面からなることを特徴とするプロジェクタ。
【請求項８】
請求項１〜７のいずれかに記載のプロジェクタにおいて、
前記発光管には、前記発光管から被照明領域側に射出される光を前記楕円面リフレクタに向けて反射する反射手段が設けられていることを特徴とするプロジェクタ。
【発明の詳細な説明】
【技術分野】
【０００１】
本発明はプロジェクタに関する。 
【背景技術】
【０００２】
図５は、従来のプロジェクタを説明するために示す図である。図５（ａ）は従来のプロジェクタの光学系を示す図であり、図５（ｂ）及び図５（ｃ）はこのような従来のプロジェクタの問題点を説明するための図である。
このプロジェクタ９００Ａにおいては、電気光学変調装置として用いる液晶表示装置４００Ｒ，４００Ｇ，４００Ｂが、図５（ｂ）に示すような輝度特性を有するホールド型の表示装置であるため、図５（ｃ）に示すような輝度特性を有するインパルス型の表示装置であるＣＲＴの場合とは異なり、いわゆる尾引き現象のために滑らかな動画表示が得られないという問題点がある（この尾引き現象については、例えば、非特許文献１参照。）。
【０００３】
図６は、従来の他のプロジェクタを説明するために示す図である。図６（ａ）は従来の他のプロジェクタの光学系を示す図であり、図６（ｂ）及び図６（ｃ）はこのような従来の他のプロジェクタに用いられる光シャッタを示すための図である。
このプロジェクタ９００Ｂにおいては、図６（ａ）に示すように、液晶表示装置４００Ｒ，４００Ｇ，４００Ｂの光入射側に光シャッタ４２０Ｒ，４２０Ｇ，４２０Ｂを配置し、これらの光シャッタにより間欠的に光を遮断するようにして、上記した問題を解決している。すなわち、いわゆる尾引き現象を緩和して滑らかで良質な動画表示が得られるようにしている（例えば、特許文献１参照。）。
【非特許文献１】「ホールド型ディスプレイにおける動画表示の画質」（電子情報通信学会技報、ＥＩＤ９９−１０、第５５〜６０頁（１９９９−０６））
【特許文献１】特開２００２−１４８７１２号公報（図１〜図７）
【発明の開示】
【発明が解決しようとする課題】
【０００４】
しかしながら、このような従来の他のプロジェクタにおいては、液晶表示装置の直前に光シャッタが配置されているため、大きい光シャッタが必要であり、プロジェクタの小型化が容易ではないという問題があった。また、このようなプロジェクタにおいては、光シャッタにより間欠的に光を遮断するようにしているため、光利用効率が大幅に低下するという問題もあった。
【０００５】
本発明は、このような問題を解決するためになされたもので、滑らかで良質な動画表示が得られるようにした場合であっても小型化が容易な構造をもったプロジェクタを提供することを第１の目的とする。また、滑らかで良質な動画表示が得られるようにした場合であっても光利用効率が大幅に低下しないプロジェクタを提供することを第２の目的とする。
【課題を解決するための手段】
【０００６】
（１）本発明者は、上記した目的を達成すべく鋭意努力を重ねた結果、照明装置として楕円面リフレクタを用い、この楕円面リフレクタからの光束が絞られて最小になる領域又はその近傍に光シャッターを配置することにより、本発明の第１の目的が達成できることを見出し、本発明を完成させるに至った。
【０００７】
すなわち、本発明のプロジェクタは、楕円面リフレクタと、この楕円面リフレクタの第１焦点位置近傍に発光中心を有する発光管と、前記楕円面リフレクタの第２焦点位置よりも前記楕円面リフレクタから遠い側に配置され、前記楕円面リフレクタから射出された光を略平行な光に変換する平行化レンズと、前記平行化レンズから射出された光を画像情報に応じて変調する電気光学変調装置と、この電気光学変調装置によって変調された光を投写する投写光学系と、を備えたプロジェクタにおいて、前記楕円面リフレクタの第２焦点位置近傍に配置され、前記電気光学変調装置に照射される光が前記電気光学変調装置の画面書込み周波数に同期して遮断されるよう間欠的に光の遮断を行う光シャッタをさらに備えたことを特徴とする。
【０００８】
このため、本発明のプロジェクタによれば、電気光学変調装置に照射される光が電気光学変調装置の画面書込み周波数に同期して遮断されるよう間欠的に光の遮断を行う光シャッタを備えているため、電気光学変調装置の画像形成領域においては光照射が所定のタイミングで間欠的に行われるようになる。その結果、尾引き現象が緩和され、滑らかで良質な動画表示が得られるようになる。
また、本発明のプロジェクタによれば、このような効果を奏する光シャッタが楕円面リフレクタの第２焦点位置近傍に配置されてなるため、楕円面リフレクタからの光（光束）の断面積が極めて小さくなっている。その結果、光シャッタの大きさを極めて小さくすることができるため、プロジェクタの大型化を極力抑制することができる構造となっている。
このため、本発明のプロジェクタは、滑らかで良質な動画表示が得られるようにした場合であっても小型化が容易な構造をもったプロジェクタとなり、本発明の第１の目的が達成できるようになる。
【０００９】
また、本発明のプロジェクタによれば、楕円面リフレクタから射出された光を略平行な光に変換する平行化レンズを備えているため、電気光学変調装置からの光を略平行な光に変換して電気光学変調装置の画像形成領域に伝達することができる。
また、この場合、光シャッタは、楕円面リフレクタと平行化レンズとの間の空間に配置されることになり、プロジェクタを大型化させることもない。
また、この場合、平行化レンズの後段にレンズインテグレータを配置することができる。このように構成することにより、電気光学変調装置の画像形成領域にはより均一な空間強度分布をもった光が入射されるため、より画像品質の優れたプロジェクタとなる。
さらにまた、この場合、平行化レンズの後段に色分離光学系を配置することもできる。このように構成することにより、容易にフルカラーのプロジェクタを構成することができるようになる。
【００１０】
上記（１）に記載のプロジェクタにおいては、前記電気光学変調装置は、同一画面情報の書込みを複数回行い、前記光シャッタは、１回目の画面情報書込み時に光の遮断を行うことが好ましい。
このように構成することにより、液晶表示装置が十分に応答する前の画面に基づいて光変調を行うことがなくなり、液晶表示装置の応答速度に左右されない高画質の動画表示を行なうことが可能になる。
【００１１】
（２）上記（１）に記載のプロジェクタにおいては、光シャッタを通過する光のビームスポット径は４ｍｍ〜８ｍｍの範囲内の値に設定されてなることが好ましい。
このように構成することにより、発熱の問題を回避しつつ光シャッタの大きさを最小限のものとし、さらに良質な動画表示を実現することができる。すなわち、光のビームスポット径が４ｍｍ未満となるとビームスポットにおける光強度が強くなりすぎて発熱の問題が生ずることがあり、光のビームスポット径が８ｍｍを超えると光シャッターの大きさを大きくする必要が生じる場合があるとともに光遮断の切れが悪くなり（電気光学変調装置上における半照射状態の時間が長くなり）良質な動画表示が実現できない場合があるからである。
【００１２】
（３）上記（１）又は（２）に記載のプロジェクタにおいては、前記光シャッタは、光軸と平行な回転軸を有し、回転方向に沿って光透過領域と光非透過領域とが一定の周期で配置された回転板からなることが好ましい。
このように構成することにより、この回転板を所定の速度で回転させることにより、電気光学変調装置に照射される光が電気光学変調装置の画面書込み周波数に同期して遮断されるよう間欠的に光の遮断を行うことを容易に実現できる。
また、このような回転板は、ガラス基板上に金属膜や誘電体多層膜からなる反射膜などを所定パターンに形成することにより容易に製造することができる。また、このような回転板は、回転によって発生する望ましくない風や風切り音のレベルも小さいものとなる。なお、光透過領域には誘電体多層膜等からなる減反射膜を形成することで、光利用効率の低下を最小限のものにすることができる。
【００１３】
（４）上記（１）又は（２）に記載のプロジェクタにおいては、前記光シャッタは、光軸と平行な回転軸を有し、回転方向に沿って光非透過領域が一定の周期で配置されたメカニカルチョッパからなることが好ましい。
このように構成することによっても、このメカニカルチョッパを所定の速度で回転させることにより、電気光学変調装置に照射される光が電気光学変調装置の画面書込み周波数に同期して遮断されるよう間欠的に光の遮断を行うことを容易に実現できる。
また、このようなメカニカルチョッパを用いれば、光透過時には光は空気層を通過することになるので光透過時における光損失を最小限のものにすることができる。メカニカルチョッパの材質としては、樹脂や金属を好ましく用いることができるが、金属を用いてさらにその表面を鏡面仕上げにすることがより好ましい。
【００１４】
（５）上記（３）又は（４）に記載のプロジェクタにおいては、前記光非透過領域は、光反射領域であることが好ましい。
このように構成することにより、この光シャッタの光反射領域で反射された光は、楕円面リフレクタを介して発光管に向かう。このため、この光が発光管の発光部中心近傍に存在するプラズマに吸収されることによってプラズマの温度が上昇し、その結果、発光強度が高まる。また、発光管に補助ミラー等の反射手段が設けられている場合には、この光はさらに発光管を通過して反射手段で反射された後、再度楕円面リフレクタに向かい、光の再利用を図ることができる。
このため、本発明のプロジェクタによれば、滑らかで良質な動画表示が得られるようにした場合であっても光利用効率が大幅に低下しないプロジェクタとなり、本発明の第２の目的も達成できる。
【００１５】
（６）上記（１）〜（５）のいずれかに記載のプロジェクタにおいては、前記平行化レンズは、光入射面が回転双曲面からなり、光射出面が平面又は球面からなることが好ましい。
このように構成することにより、光シャッタを通過して発散する光をこのような平行化レンズによって略平行な光に変換することができ、後段の光学系（例えば、インテグレータ光学系、色分離光学系、電気光学変調装置）に効果的に導くことができる。
【００１６】
（７）上記（１）〜（６）のいずれかに記載のプロジェクタにおいては、前記平行化レンズは、光射出面が回転楕円面からなり、光入射面が平面又は球面からなることが好ましい。
このように構成することによっても、光シャッタを通過して発散する光をこのような平行化レンズによって略平行な光に変換することができ、後段の光学系（例えば、インテグレータ光学系、色分離光学系、電気光学変調装置）に効果的に導くことができる。
【００１７】
（８）上記（１）〜（７）のいずれかに記載のプロジェクタにおいては、前記発光管には、前記発光管から被照明領域側に射出される光を前記楕円面リフレクタに向けて反射する反射手段が設けられていることが好ましい。
このように構成することにより、発光管から被照明領域側に放射される光が楕円面リフレクタに向けて反射されるため、発光管の被照明領域側端部を覆うような大きさに楕円面リフレクタの大きさを設定することを必要とせず、楕円面リフレクタの小型化を図ることができ、結果としてプロジェクタの小型化を図ることができる。
また、楕円面リフレクタの小型化を図ることができることにより、楕円面リフレクタから楕円面リフレクタの第２焦点に向けて集束するビームの集束角やビームスポットを小さくすることができ、光シャッタの大きさ、インテグレータロッドの大きさ、回転ホイールの大きさなどをさらに小さくすることができ、プロジェクタのさらなる小型化を図ることができる。
【発明を実施するための最良の形態】
【００１８】
以下、本発明のプロジェクタについて、図に示す実施の形態に基づいて説明する。
【００１９】
図１は、本発明の実施形態に係るプロジェクタの光学系を示す図である。図１（ａ）は平面図であり、図１（ｂ）は側面図である。図２は、本発明の実施形態に係るプロジェクタを説明するために示す図である。図２（ａ）は回転板を説明するために示す図であり、図２（ｂ）及び（ｃ）は被照明領域である電気光学変調装置としての液晶表示装置上における画面書込みタイミングと照明状態を示す図である。液晶表示装置は、同一画面情報を２度書込む倍速駆動を行っている。
【００２０】
実施形態に係るプロジェクタ１０００は、図１に示すように、照明光束を射出する照明光学系１００と、照明光学系１００から射出された照明光束を３つの色光に分離するための色分離光学系２００と、画像情報に応じて変調する電気光学変調装置としての液晶表示装置４００Ｒ，４００Ｇ，４００Ｂと、これらの液晶表示装置４００Ｒ，４００Ｇ，４００Ｂによって変調された光を合成するクロスダイクロイックプリズム５００と、このクロスダイクロイックプリズム５００により合成された光をスクリーンＳＣＲなどの投写面上に投写する投写光学系６００と、を備えている。
【００２１】
照明光学系１００は、楕円面リフレクタ１１４、高圧水銀ランプなどからなる発光管１１２及び反射手段としての補助ミラー１１６を有する光源装置１１０と、この光源装置１１０から射出された光を略平行な光に変換する平行化レンズ１５０と、この平行化レンズ１５０から射出された光を液晶表示装置４００Ｒ，４００Ｇ，４００Ｂの画像表示領域（被照明領域）上に均一に照射するための第１及び第２レンズアレイ１６０，１７０並びに重畳レンズ１９０と、ランダム偏光の光を一方向の偏光成分の光に変換する偏光変換素子１８０とを有している。
【００２２】
実施形態に係るプロジェクタ１０００においては、楕円面リフレクタ１１４の第２焦点位置近傍に、光シャッタとしての回転板２０とこれを回転させるためのモータ１０とが配置されている。この回転板２０は、光軸と平行な回転軸を有し、図２（ａ）に示すように、回転方向に沿って光透過領域２２と光非透過領域２４とが交互に配置されてなる。そして、液晶表示装置４００Ｒ，４００Ｇ，４００Ｂに照射される光が液晶表示装置４００Ｒ，４００Ｇ，４００Ｂの画面書込み周波数に同期して遮断されるよう間欠的に光の遮断を行う機能を有している。
【００２３】
実施形態に係るプロジェクタ１０００においては、画面書込みは、液晶表示装置４００Ｒ，４００Ｇ，４００Ｂに同一画面を２度繰り返し書込む倍速駆動を行っている。そして、１回目の書込み時は光を遮断し、２回目の書込み時に光を通過させることで、液晶表示装置４００Ｒ，４００Ｇ，４００Ｂが十分に応答する前の画面に基づいて光変調を行うことがなくなり、液晶表示装置４００Ｒ，４００Ｇ，４００Ｂの応答速度に左右されない高画質の動画表示を行うことが可能となっている。
【００２４】
実施形態に係るプロジェクタ１０００においては、上記のような回転板２０を備えている。このため、これを所定の速度で回転させることにより、液晶表示装置４００Ｒ，４００Ｇ，４００Ｂの画像形成領域において光照射を所定のタイミングで間欠的に行うことが容易にできるようになる。その結果、尾引き現象が緩和され、滑らかで良質な動画表示が得られるようになる。
【００２５】
また、実施形態に係るプロジェクタ１０００においては、上記のような作用を奏する回転板２０が楕円面リフレクタ１１４の第２焦点位置近傍に配置されている。このため、楕円面リフレクタ１１４からの光（光束）の断面積が極めて小さくなっている。その結果、回転板２０の大きさを極めて小さくすることができるため、プロジェクタの大型化を極力抑制することができる。なお、光源装置１１０と回転板２０との間には赤外線カットフィルタ１１５が配置されており、回転板２０への熱的負荷が低減されている。
このため、実施形態に係るプロジェクタは、滑らかで良質な動画表示が得られるようにした場合であっても小型化が容易な構造をもったプロジェクタとなる。
【００２６】
実施形態に係るプロジェクタ１０００においては、回転板２０として、図２（ａ）に示すような回転板２０を用いることができる。このような回転板２０は、ガラス基板上に誘電体多層膜からなる反射膜を形成して製造する。回転板２０は、回転面が平坦であるため、回転によって発生する望ましくない風や風切り音のレベルも小さいものとなる。
【００２７】
回転板２０は光軸に直角に置かれ、その光非透過領域２４は、光反射領域としてある。このため、この光反射領域（光非透過領域２４）で反射された光は、楕円面リフレクタ１１４を介して発光管１１２に向かう。この光はさらに発光管１１２を通過して補助ミラー１１６によって反射され、再び楕円面リフレクタ１１４に向かい、光の再利用が図られる。また、この光が発光管１１２の発光部中心近傍に存在するプラズマに吸収される場合には、プラズマの温度が上昇し、その結果、発光強度が高まる。
このため、実施形態に係るプロジェクタ１０００によれば、滑らかで良質な動画表示が得られるようにした場合であっても光利用効率が大幅に低下しないプロジェクタとなる。
なお、この場合、回転板２０の光透過領域２２には、誘電体多層膜等からなる減反射膜を形成することで、光利用効率の低下を最小限のものにすることができる。
【００２８】
また、実施形態に係るプロジェクタ１０００においては、回転板２０を通過する光のビームスポット径Ｄは４ｍｍ〜８ｍｍの範囲内の値に設定されている。
このため、発熱の問題を回避しつつ回転板２０の大きさを最小限のものとし、さらに良質な動画表示を実現することができる。すなわち、光のビームスポット径Ｄが４ｍｍ未満となるとビームスポットにおける光強度が強くなりすぎて発熱の問題が生ずることがあり、光のビームスポット径Ｄが８ｍｍを超えると回転板２０の大きさを大きくする必要が生じる場合があるとともに光遮断の切れが悪くなり（液晶表示装置４００Ｒ，４００Ｇ，４００Ｂ上における半照射状態の時間が長くなり）良質な動画表示が実現できない場合がある。
【００２９】
実施形態に係るプロジェクタ１０００においては、回転板２０からの光をより均一な空間強度分布を有する光に変換するレンズインテグレータとしての第１及び第２レンズアレイ１６０，１７０並びに重畳レンズ１９０をさらに備えている。このため、液晶表示装置４００Ｒ，４００Ｇ，４００Ｂの画像形成領域にはより均一な空間強度分布をもった光が入射されるため、より画像品質の優れたプロジェクタとなる。この場合、回転板２０は、楕円面リフレクタ１１４と平行化レンズ１５０との間に配置されており、プロジェクタを大型化させることがない構造となっている。
【００３０】
図３は、光シャッタの変形例を示す図である。図３に示すように、光シャッタとしては、図２（ａ）に示した回転板２０に代えて、メカニカルチョッパ２０Ｂを用いることもできる。この場合には、光透過時には光は空気層を通過することになるので光透過時における光損失を最小限のものにすることができる。メカニカルチョッパ２０Ｂの材質としては、表面を鏡面仕上げにした金属を用いる。
【００３１】
図４は、実施形態に係るプロジェクタで用いる平行化レンズを説明するために示す図である。平行化レンズ１５０としては、図４（ａ）及び（ｂ）に示すように、光入射面が回転双曲面の平行化レンズ１５０Ａ，１５０Ｂを好適に用いることができる。この場合において、図４（ａ）に示すように、光射出面が平面からなる平行化レンズ１５０Ａを用いることができるし、図４（ｂ）に示すように、光射出面が球面からなる平行化レンズ１５０Ｂを用いることもできる。また、平行化レンズ１５０としては、図４（ｃ）及び（ｄ）に示すように、光射出面が回転楕円面の平行化レンズ１５０Ｃ，１５０Ｄを好適に用いることができる。この場合において、図４（ｃ）に示すように、光入射面が平面からなる平行化レンズ１５０Ｃを用いることができるし、図４（ｄ）に示すように、光入射面が球面からなる平行化レンズ１５０Ｄを用いることもできる。
いずれの場合であっても、光シャッタを通過して発散する光をこのような平行化レンズによって略平行な光に変換することができ、後段の光学系（インテグレータ光学系、色分離光学系２００、電気光学変調装置４００Ｒ，４００Ｇ，４００Ｂ）に効果的に導くことができる。
【００３２】
以上、本発明のプロジェクタを上記の実施形態に基づいて説明したが、本発明は上記の実施形態に限られるものではなく、その要旨を逸脱しない範囲において種々の態様において実施することが可能であり、例えば次のような変形も可能である。 
【００３３】
（１）上記実施形態のプロジェクタ１０００は透過型のプロジェクタであるが、本発明は反射型のプロジェクタにも適用することが可能である。ここで、「透過型」とは、透過型の液晶表示装置等のように光変調手段としての電気光学変調装置が光を透過するタイプであることを意味しており、「反射型」とは、反射型液晶表示装置のように光変調手段としての電気光学変調装置が光を反射するタイプであることを意味している。反射型のプロジェクタにこの発明を適用した場合にも、透過型のプロジェクタと同様の効果を得ることができる。 
【００３４】
（２）上記実施形態のプロジェクタ１０００は、電気光学変調装置として液晶表示装置を用いているが、本発明はこれに限られない。電気光学変調装置としては、一般に、入射光を画像情報に応じて変調するものであればよく、マイクロミラー型光変調装置などを利用してもよい。マイクロミラー型光変調装置としては、例えば、ＤＭＤ（デジタルマイクロミラーデバイス）（ＴＩ社の商標）を用いることができる。 
【図面の簡単な説明】
【００３５】
【図１】実施形態に係るプロジェクタの光学系を示す図。
【図２】実施形態に係るプロジェクタを説明するために示す図。
【図３】光シャッタの変形例を示す図。
【図４】平行化レンズを説明するために示す図。
【図５】従来のプロジェクタを説明するために示す図。
【図６】従来の他のプロジェクタを説明するために示す図。
【符号の説明】
【００３６】
１０…モータ、２０…回転板、２２…光透過領域、２４…光非透過領域、１００…照明光学系、１１０…光源装置、１１２…発光管、１１４…楕円面リフレクタ、１５０…平行化レンズ、１６０…第１レンズアレイ、１７０…第２レンズアレイ、１８０…偏光変換素子、１９０…重畳レンズ、２００…色分離光学系、３００…リレー光学系、４００，４００Ｒ，４００Ｇ，４００Ｂ…液晶表示装置、５００…クロスダイクロイックプリズム、６００…投写光学系、９００Ａ，９００Ｂ，１０００…プロジェクタ
【図１】
2005134643.tif 000003
【図２】
2005134643.tif 000004
【図３】
2005134643.tif 000005
【図４】
2005134643.tif 000006
【図５】
2005134643.tif 000007
【図６】
2005134643.tif 000008